(57)【要約】【課題】外部磁界を良好かつ正確に検出できる電子機器および外部磁界を除去して正確な時刻情報を受信して時刻を修正できる時計を提供すること。【解決手段】時刻情報を受信するアンテナ２１の軸線２１Ａと、アンテナ２１の周囲に存在する外部磁界を検出する駆動コイル３３の軸線３３Ａとを電波時計１の平面視においてほぼ平行に、また側面視において同一線上に配置する。外部磁界が駆動コイル３３に印加されると、駆動コイル３３に誘起電圧が誘起されて、外部磁界を検出できる。アンテナ２１に影響する外部磁界を駆動コイル３３で良好に再現できるので、アンテナ２１周囲の外部磁界をより正確に検出でき、より正確な時刻情報を受信して、正確に時刻を修正できる。【選択図】  図６
2004301736.tif 000002
【特許請求の範囲】
【請求項１】
ステッピングモータユニットと、外部無線情報を受信する外部無線情報受信ユニットとを備えた電子機器であって、
前記ステッピングモータユニットは、駆動コイルを有するステッピングモータと、前記ステッピングモータの駆動を制御する駆動制御手段と、前記駆動コイルの誘起電圧によって外部に存在する外部磁界を検出する外部磁界検出手段とを備え、
前記外部無線情報受信ユニットは、前記外部無線情報を受けるアンテナと、前記アンテナから受けた前記外部無線情報を処理する受信手段とを備え、
前記駆動コイルの軸線と前記アンテナの軸線とは、ほぼ平行に配置されていることを特徴とする電子機器。
【請求項２】
ステッピングモータユニットと、外部無線情報を受信する外部無線情報受信ユニットとを備えた電子機器であって、
前記ステッピングモータユニットは、駆動コイルを有するステッピングモータと、前記ステッピングモータの駆動を制御する駆動制御手段と、前記駆動コイルの誘起電圧によって外部に存在する外部磁界を検出する外部磁界検出手段とを備え、
前記外部無線情報受信ユニットは、前記外部無線情報を受けるアンテナと、前記アンテナから受けた前記外部無線情報を処理する受信手段とを備え、
前記駆動コイルの軸線と前記アンテナの軸線とは、両軸線のなす角度が所定角度以内となるように配置されていることを特徴とする電子機器。
【請求項３】
請求項１または請求項２に記載の電子機器において、前記外部磁界検出手段は、外部磁界の検出に応じて外部磁界検出信号を出力し、外部磁界を検出しない場合には外部磁界非検出信号を出力するように構成され、
前記ステッピングモータユニットは、前記外部磁界検出手段から出力された前記外部磁界検出信号および前記外部磁界非検出信号の入力に応じて前記外部無線情報受信ユニットを制御する受信制御手段を有することを特徴とする電子機器。
【請求項４】
請求項１から請求項３のいずれかに記載の電子機器において、
前記アンテナは、ループアンテナであることを特徴とする電子機器。
【請求項５】
請求項１から請求項４のいずれかに記載の電子機器において、
前記駆動コイルの軸線および前記アンテナの軸線がなす角度は、当該電子機器における平面視で３０°以内であることを特徴とする電子機器。
【請求項６】
請求項１から請求項５のいずれかに記載の電子機器において、
前記駆動コイルの軸線および前記アンテナの軸線がなす角度は、当該電子機器における側面視で３０°以内であることを特徴とする電子機器。
【請求項７】
請求項１から請求項６のいずれかに記載の電子機器を用いた時計であって、前記ステッピングモータで駆動される指針を備え、前記駆動制御手段は、標準時刻が重畳された外部無線情報にしたがって前記ステッピングモータを駆動し、前記指針の表示時刻を修正することを特徴とする時計。
【請求項８】
請求項７に記載の時計において、１２時間式の文字板を備え、前記駆動コイルの軸線および前記アンテナの軸線は、前記文字板の３時と９時とを結ぶ方向に対してそれぞれ１５°以内であることを特徴とする時計。
【請求項９】
請求項７または請求項８のいずれかに記載の時計において、当該時計の駆動電源と、前記ステッピングモータの駆動力を前記指針に伝達する輪列とを備え、
前記駆動コイルおよび前記アンテナは、前記駆動電源および前記輪列を挟んで互いに反対側に配置されていることを特徴とする時計。
【請求項１０】
請求項７から請求項９のいずれかに記載の時計において、当該時計の駆動電源を備え、前記駆動コイルおよび前記アンテナの軸線方向延長線には、前記駆動電源が配置されていないことを特徴とする時計。
【発明の詳細な説明】
【０００１】
【発明の属する技術分野】
本発明は、外部からの無線情報を受信して動作修正等の処理を行う電子機器、および外部からの時刻情報を受信して時刻修正を行う時計に関する。
【０００２】
【背景技術】
外部からの無線情報を受信して動作修正等を行う電子機器、例えば、外部からの時刻情報を受信して時刻修正を行う電波時計などが知られている。
この電波時計は、外部からの時刻情報を受けるアンテナと、アンテナで受けた情報を処理する受信手段と、受信手段からの情報を記憶する記憶手段と、記憶された時刻情報に従って駆動制御されるステッピングモータと、このステッピングモータによって運針され時刻を示す指針とを備えて構成されている。
このような構成によれば、正確な時刻情報を載せた電波をアンテナで受ける。すると、この時刻情報が受信手段によって処理（例えば、増幅、復調など）され、一連の時刻情報が記憶手段に記憶されていく。記憶された時刻情報に基づいてステッピングモータが駆動制御され、指針が回転駆動されることにより正確な時刻が示される。このような作業が自動でなされ、かつ、正確な時刻を表示できることから、電波時計は優れた利便性を有している。
【０００３】
【発明が解決しようとする課題】
電波時計が正確な時刻修正を行うためには、外部からの時刻情報を正確に受信することが必要となる。しかしながら、電波時計のアンテナの周囲に磁界が存在すると時刻情報を正確に受信できないという問題がある。これは、磁界が時刻情報をのせた電波と干渉するため、時刻情報の電波波形が変形されてしまうためである。
壁掛け時計のようにその設置位置が固定されていれば、磁界の影響を受けにくい位置に設置することで対応することができる。しかし、例えば、腕時計のように常時移動される場合には、磁界の影響を避けることができないという問題が残る。
【０００４】
一方、本出願人は先に、電磁発電装置を内蔵した電波時計について電磁発電による電磁ノイズの影響を受けない電波時計を提案している（例えば、特許文献１）。
【０００５】
【特許文献１】
特開２００１−１６６０７１号公報
【０００６】
この電磁発電装置を内蔵した電波時計は、前述の電波時計に、電磁発電によって発電する発電手段と、この発電手段の発電状態を電流検出によって検出する発電状態検出手段と、発電状態検出手段からの検出信号に基づいて受信手段による受信を禁止する受信禁止手段とを備えた構成である。
このような構成によれば、発電状態検出手段によって、発電手段の発電状態を検出する。発電状態が検出されると、発電状態検出手段から検出信号が発信され、受信手段による時刻情報の受信が禁止される。よって、発電手段が発電することにより発生される電磁ノイズが存在する間は時刻情報を受信しない。発電手段が発電せず、発電手段からの電磁ノイズが存在しないときのみ受信手段によって時刻情報が受信される。その結果、時刻情報が正確に受信され、電波時計の時刻修正が正確に行われる。
【０００７】
ところで、電波時計のアンテナの周囲に存在する磁界の発生源は必ずしも電波時計に内蔵された電磁発電装置に限られない。例えば、電灯等の明るさコントローラや電気毛布等の温度コントローラ、さらには、一般の家電製品からも磁界は発生される。
このような電波時計の外部にある磁界発生源に対しては、前記電磁発電装置を内蔵した電波時計では対応できないという問題がある。すなわち、前記発電状態検出手段は、内蔵された発電手段からの電流を検出して制御しており、外部からの磁界は認識できないためである。そのため、磁界の影響下でも時刻情報の受信動作を行うことになり、時刻修正が誤ったものとなる可能性がある。したがって、アンテナ周囲の外部磁界を何らかの方法で時刻情報から除去し、正確な時刻情報を受信する必要がある。そして、この際、アンテナ周囲に存在する磁界の向きは様々であり、アンテナに実際に影響のある外部磁界を検出することが、正確な時刻情報を受信する上で非常に重要となる。
このような問題は電波時計に限らず、外部無線情報を受信して何らかの処理を行う電子機器に共通する問題である。
【０００８】
本発明の目的は、従来の問題を解決し、外部磁界を正確に検出できる電子機器および時計を提供することにある。また、本発明の第二の目的は、外部磁界を正確に検出することにより、外部無線情報を正確に受信できる電子機器、および外部から時刻情報を正確に受信して時刻修正できる時計を提供することにある。
【０００９】
【課題を解決するための手段】
本発明の電子機器は、ステッピングモータユニットと、外部無線情報を受信する外部無線情報受信ユニットとを備えた電子機器であって、ステッピングモータユニットは、駆動コイルを有するステッピングモータと、ステッピングモータの駆動を制御する駆動制御手段と、駆動コイルの誘起電圧によって外部に存在する外部磁界を検出する外部磁界検出手段とを備え、外部無線情報受信ユニットは、外部無線情報を受けるアンテナと、アンテナから受けた外部無線情報を処理する受信手段とを備え、駆動コイルの軸線とアンテナの軸線とは、ほぼ平行に配置されていることを特徴とする。
【００１０】
この発明によれば、ステッピングモータの周囲に外部磁界が存在すると、ステッピングモータの駆動コイルに外部磁界が印加され、駆動コイルに誘起電圧が誘起される。駆動コイルに誘起された誘起電圧を検出することにより、駆動コイルは、外部磁界を検出する外部磁界検出手段としての作用を奏することができ、アンテナの周囲に存在する外部磁界を検出することができる。
この際、ステッピングモータの駆動コイルの軸線と外部無線情報を受けるアンテナの軸線とが互いにほぼ平行に配置されているので、駆動コイルで外部磁界を検出する際には、駆動コイルでは、アンテナが受ける外部磁界とほぼ平行な向きの外部磁界を検出することとなる。つまり、駆動コイルで検出する外部磁界によって、アンテナが受ける外部磁界を良好に再現できるので、外部磁界の検出精度を高めることができる。
また、ステッピングモータの駆動コイルがモータの駆動コイルの役割とともに、外部磁界のアンテナの役割も果たすことができる。つまり、ステッピングモータの駆動コイルを利用して外部磁界検出手段を構成することにより、外部磁界検出のための検出手段を別体として設ける必要がないので、電子機器を小型化することができる。
【００１１】
なお、外部磁界検出手段には、外部磁界とともに外部無線情報も入ってくるが、外部磁界と外部無線情報とではパワーが異なるので、外部磁界検出手段において外部磁界と外部無線情報とを区別することは可能である。外部磁界とは、外部無線情報の信号出力に比べてパワーが大きく、アンテナで外部無線情報を受けるのに障害となる交流磁界や高周波磁界などであるので、例えば、外部磁界検出手段でのしきい値を所定以上の大きさに設定しておけば、外部無線情報ではなく外部磁界だけを検出することができる。
【００１２】
また、駆動コイルの軸線とアンテナの軸線とがほぼ平行に配置されている、とは、アンテナによる外部無線情報の受信の際に外乱として影響する外部磁界が、駆動コイルに同様に印加されて当該外部磁界を良好に検出できる向きに、駆動コイルの軸線が配置されていることをいう。つまり駆動コイルおよびアンテナの各軸線は、厳密に平行に配置されていなくても、例えばシールドを設けるなどの適宜な方法によれば、外部磁界の向きをある程度限定することができるので、その向きに応じて各軸線を配置すればよい。したがって、この時限定された向き以外の方向については、駆動コイルおよびアンテナの軸線がある程度角度を有して配置されていてもよい。つまり、ほぼ平行とは、例えば駆動コイルおよびアンテナの軸線が電子機器の平面視においてほぼ平行となっているものや、電子機器の側面視においてほぼ平行となっているものなどが考えられ、平面視および側面視のいずれかにおいてほぼ平行であればよい。
なお、平面視とは、ある任意の方向から電子機器を投影した場合の投影面から見た状態をいい、また側面視とは、平面視の方向と直交する方向の投影面から見た状態をいう。
【００１３】
本発明の電子機器は、ステッピングモータユニットと、外部無線情報を受信する外部無線情報受信ユニットとを備えた電子機器であって、ステッピングモータユニットは、駆動コイルを有するステッピングモータと、ステッピングモータの駆動を制御する駆動制御手段と、駆動コイルの誘起電圧によって外部に存在する外部磁界を検出する外部磁界検出手段とを備え、外部無線情報受信ユニットは、外部無線情報を受けるアンテナと、アンテナから受けた外部無線情報を処理する受信手段とを備え、駆動コイルの軸線とアンテナの軸線とは、両軸線のなす角度が所定角度以内となるように配置されていることを特徴とする。
この発明によれば、ステッピングモータの周囲に外部磁界が存在すると、ステッピングモータの駆動コイルに外部磁界が印加され、駆動コイルに誘起電圧が誘起される。駆動コイルに誘起された誘起電圧を検出することにより、駆動コイルは、外部磁界を検出する外部磁界検出手段としての作用を奏することができ、アンテナの周囲に存在する外部磁界を検出することができる。
この際、ステッピングモータの駆動コイルの軸線と外部無線情報を受けるアンテナの軸線とがなす角度は所定角度以内に配置されているので、駆動コイルで外部磁界を検出する際には、駆動コイルでは、アンテナが受ける外部磁界と同様な向きの外部磁界を検出することとなる。つまり、駆動コイルで検出する外部磁界によって、アンテナが受ける外部磁界を良好に再現できるので、外部磁界の検出精度を高めることができる。
また、ステッピングモータの駆動コイルがモータの駆動コイルの役割とともに、外部磁界のアンテナの役割も果たすことができる。つまり、ステッピングモータの駆動コイルを利用して外部磁界検出手段を構成することにより、外部磁界検出のための検出手段を別体として設ける必要がないので、電子機器を小型化することができる。
【００１４】
本発明では、外部磁界検出手段は、外部磁界の検出に応じて外部磁界検出信号を出力し、外部磁界を検出しない場合には外部磁界非検出信号を出力するように構成され、ステッピングモータユニットは、外部磁界検出手段から出力された外部磁界検出信号および外部磁界非検出信号の入力に応じて外部無線情報受信ユニットを制御する受信制御手段を有することが望ましい。
この発明によれば、外部磁界検出手段が外部磁界検出信号および外部磁界非検出信号を出力するので、制御手段は外部磁界非検出信号が出力されている間に受信した外部無線情報を用いることができ、また、外部磁界検出信号が出力された場合には受信回数を増やすなど、外部磁界の検出結果に応じた制御を行うことができるので、受信動作における外部磁界の影響を低減でき、より正確な外部無線情報を受信できる。これにより、本発明の第二の目的が達成できる。
ここで、外部磁界検出信号と外部磁界非検出信号とは表裏の関係にあり、外部磁界非検出信号として外部磁界検出信号とは別個の信号が出力されてもよく、また、外部磁界検出信号が出力されていない状態を外部磁界非検出信号が出力されているものとしてもよい。
【００１５】
本発明では、アンテナは、ループアンテナであることが望ましい。
この発明によれば、アンテナがループアンテナなので、アンテナの軸線を駆動コイルの軸線にほぼ平行に配置すると、アンテナが受ける外部磁界の向きと、駆動コイルが検出する外部磁界の向きとが略一致する。したがって、駆動コイルにおいてアンテナの受信動作に影響する外部磁界が良好に再現され、駆動コイルの外部磁界の検出精度が向上する。
【００１６】
本発明では、駆動コイルの軸線およびアンテナの軸線がなす角度は、当該電子機器における平面視で３０°以内であることが望ましい。
この発明によれば、駆動コイルの軸線およびアンテナの軸線が平面視で３０°以内の角度を有して配置されているので、駆動コイルの向きがアンテナの向きとがほぼ等しくなる。したがって、駆動コイルで検出した外部磁界がアンテナ周囲に存在する外部磁界を良好に再現でき、駆動コイルによるアンテナ周囲の外部磁界の検出精度をより一層高めることができる。
なお、駆動コイルおよびアンテナの軸線が平面視で３０°より大きな角度で交わる場合でも、外部磁界のパワーが大きい等の条件下では駆動コイルによって外部磁界を検出できることもある。ただし、駆動コイルおよびアンテナの軸線がなす角度が大きくなる程、外部磁界を正確に検出できる条件が厳しくなる。一方、駆動コイルおよびアンテナの軸線が平面視で３０°以内であれば、様々な条件の変化が生じても、駆動コイルが良好に外部磁界を検出できる。また、駆動コイルの軸線とアンテナの軸線とがなす角度は、より望ましくは平面視で２０°以内であり、２０°以内であれば駆動コイルにおいてアンテナに影響する外部磁界をより正確に検出できる。そして駆動コイルの軸線とアンテナの軸線とがなす角度は、さらに望ましくは平面視で１０°以内であり、１０°以内であれば駆動コイルがアンテナに影響する外部磁界をさらに一層正確に検出できる。
【００１７】
本発明では、コイルの軸線およびアンテナの軸線がなす角度は、当該電子機器における側面視で３０°以内であることが望ましい。
この発明によれば、駆動コイルの軸線およびアンテナの軸線が側面視で３０°以内の角度を有して配置されているので、駆動コイルおよびアンテナの軸線が平面視で３０°以内に配置されている場合と同様に、駆動コイルの向きがアンテナの向きとほぼ等しくなる。したがって、駆動コイルで検出した外部磁界がアンテナ周囲に存在する外部磁界を良好に再現でき、駆動コイルによるアンテナ周囲の外部磁界の検出精度をより一層高めることができる。
なお、駆動コイルおよびアンテナの軸線が側面視で３０°より大きな角度で交わる場合でも、外部磁界のパワーが大きい等の条件下では駆動コイルによって外部磁界を検出できることもある。ただし、駆動コイルおよびアンテナの軸線がなす角度が大きくなる程、外部磁界を正確に検出できる条件が厳しくなる。一方、駆動コイルおよびアンテナの軸線が側面視で３０°以内であれば、様々な条件の変化が生じても、駆動コイルが良好に外部磁界を検出できる。また、駆動コイルの軸線とアンテナの軸線とがなす角度は、より望ましくは側縁視で２０°以内であり、２０°以内であれば駆動コイルにおいてアンテナに影響する外部磁界をより正確に検出できる。そして駆動コイルの軸線とアンテナの軸線とがなす角度は、さらに望ましくは側面視で１０°以内であり、１０°以内であれば駆動コイルがアンテナに影響する外部磁界をさらに一層正確に検出できる。
【００１８】
本発明の時計は、前述の電子機器を用いた時計であって、ステッピングモータで駆動される指針を備え、駆動制御手段は、標準時刻が重畳された外部無線情報にしたがってステッピングモータを駆動し、指針の表示時刻を修正することを特徴とする。
この発明によれば、前述のような電子機器を用いているので、前述のような効果を奏することができる。
つまり、ステッピングモータの周囲に外部磁界が存在すると、ステッピングモータの駆動コイルに外部磁界が印加され、駆動コイルに誘起電圧が誘起される。駆動コイルに誘起された誘起電圧を検出することにより、駆動コイルは、外部磁界を検出する外部磁界検出手段としての作用を奏することができ、アンテナの周囲に存在する外部磁界を検出することができる。
【００１９】
この際、ステッピングモータの駆動コイルの軸線と外部無線情報を受けるアンテナの軸線とが互いにほぼ平行に配置されているので、駆動コイルで外部磁界を検出する際には、駆動コイルでは、アンテナが受ける外部磁界とほぼ平行な向きの外部磁界を検出することとなる。つまり、駆動コイルで検出する外部磁界によって、アンテナが受ける外部磁界を良好に再現できるので、外部磁界の検出精度を高めることができる。そして、駆動コイルの軸線とアンテナの軸線とがなす角度が適切に設定されているので、アンテナに影響する外部磁界を駆動コイルによってより確実かつ正確に検出できる。
また、ステッピングモータの駆動コイルがモータの駆動コイルの役割とともに、外部磁界のアンテナの役割も果たすことができる。つまり、ステッピングモータの駆動コイルを利用して外部磁界検出手段を構成することにより、外部磁界検出のための検出手段を別体として設ける必要がないので、電子機器を小型化することができる。
さらに、制御手段が外部磁界検出信号に応じて外部無線情報の受信動作を制御することにより、外部磁界の影響を最小限に抑制でき、正確な標準時刻を受信でき、時刻修正を正確に行うことができる。
【００２０】
本発明では、１２時間式の文字板を備え、駆動コイルの軸線およびアンテナの軸線は、文字板の３時と９時とを結ぶ方向に対してそれぞれ１５°以内であることが望ましい。
例えば本発明の時計を腕時計に使用する場合では、文字板の１２時方向と６時方向にベルトが設けられることがある。この時、ベルトが金属製であると、駆動コイルの軸線またはアンテナの軸線の延長線上に金属ベルトが配置されることとなり、この金属ベルトが外部無線情報の受信または外部磁界の検出を阻害する可能性がある。
これに対し、この発明によれば、駆動コイルおよびアンテナの軸線が、文字板の３時と９時とを結ぶ方向に対してそれぞれ所定角度、つまり１５°以内に配置されているので、時計を腕時計に用いた場合でも、駆動コイルおよびアンテナの軸線が３時および９時を結ぶ方向に対してほぼ平行に配置され、アンテナが受信する外部無線情報が金属ベルトなどの遮蔽物に干渉することなく、良好に受信できる。また、駆動コイルも同様に、良好に外部磁界を検出できる。
なお、駆動コイルまたはアンテナの軸線が文字板の３時と９時とを結ぶ方向に対して１５°より大きい角度で配置されている場合には、駆動コイルまたはアンテナの軸線が金属ベルトなどの遮蔽物に干渉するおそれがあり、アンテナが外部無線情報を良好に受信することができず、また駆動コイルは外部磁界を良好に受信することができない。
【００２１】
本発明では、当該時計の駆動電源と、ステッピングモータの駆動力を指針に伝達する輪列とを備え、駆動コイルおよびアンテナは、駆動電源および輪列を挟んで互いに反対側に配置されていることが望ましい。
この発明によれば、駆動コイルおよびアンテナが駆動電源および輪列を挟んで互いに反対側に配置されているので、時計内のスペースを有効に利用して時計のスペース効率を向上させることができ、またこれにより時計の小型化を促進できる。
また、ステッピングモータが駆動する際には、駆動パルスによって駆動コイルには微弱な磁界が発生する。この発明によれば、駆動コイルが駆動電源および輪列を挟んでアンテナとは反対側に配置されているので、時計内部において駆動コイルとアンテナとが離れて配置される。このため、駆動コイルより発生した磁界がアンテナでノイズとして受信されにくく、よってより高精度な外部無線情報の受信動作が可能となる。
この時、駆動電源は通常金属缶を有し、また輪列は通常スチール鋼などの金属製の歯車が複数個配列されて構成されているので、駆動コイルから発生した磁界は駆動電源や輪列に吸収される。したがって、駆動電源や輪列の反対側に配置されたアンテナには、駆動コイルからの磁界によるノイズが受信されにくくなる。したがって、より一層高精度に外部無線情報が受信される。
ここで、駆動電源としては、ボタン型電池などの一次電池や、充電可能な二次電池などを採用できる。二次電池であれば、例えば回転錘の回転を利用して発電力を得るものや、太陽電池のように太陽熱を利用して発電力を得るものなど、任意の電池を採用できる。
【００２２】
本発明では、当該時計の駆動電源を備え、駆動コイルおよびアンテナの軸線方向延長線には、駆動電源が配置されていないことが望ましい。
この発明によれば、駆動コイルおよびアンテナの軸線方向には金属缶を有する駆動電源が配置されていないので、アンテナが外部無線情報を受信する際に、駆動電源がその受信動作を妨害することがなく、アンテナが良好に外部無線情報を受信できる。また、駆動コイルも、駆動電源による外部磁界の影響を受けることなく外部磁界を検出でき、アンテナ周囲の外部磁界を良好に再現できる。
【００２３】
【発明の実施の形態】
以下、本発明の実施の形態を図示例と共に説明する。
図１は、本発明の電子機器に係る実施形態としての携帯型、特に腕時計タイプの電波時計（時計）１のブロック図である。
この電波時計１は、外部無線情報受信ユニット２と、ステッピングモータユニット３とを備えて構成されている。
外部無線情報受信ユニット２は、外部無線情報としての時刻情報が重畳された長波標準電波を受けるフェライトアンテナなどのアンテナ２１と、アンテナ２１で受けた長波標準電波を処理して時刻情報として出力する受信手段としての受信回路２２と、受信回路２２から出力された時刻情報を記憶する記憶回路２８とを備えている。
ステッピングモータユニット３は、時刻を示す指針をステッピングモータ３２（図５参照）によって駆動する運針部３１と、ステッピングモータ３２を駆動するモータ駆動回路４２と、装置全体を制御する駆動制御手段としての中央制御部４７と、指針位置を検出する針位置検出回路６０と、駆動電源としての電池６１とを備える。
【００２４】
アンテナ２１は、時刻情報が重畳された長波標準電波を受ける。
図２に、時刻情報が重畳された長波標準電波の信号タイムコードフォーマットを示す。このタイムコードフォーマットは、１秒ごとに一つの信号が送信され、６０秒で１レコードとして構成されている。
図２に示されるように、長波標準電波信号のタイムコードフォーマットは、項目として現在時刻の分、時、現在年の１月１日からの通算日、年（西暦下２桁）、曜日およびうるう秒の各桁データを含んで構成されている。各項目の値は、各秒毎に割り当てられた数値（ビットデータ）の組み合わせによって構成され、この組み合わせのＯＮ、ＯＦＦが信号の種類から判断される。
【００２５】
図３に示されるように、長波標準電波信号として送信されてくる信号の種類は、３種類あり、“１”、“０”あるいは“Ｐ”を表す信号が送信される。これらの信号の種類は、各信号の振幅変調時間の長短により判断される。図３（ａ）は、信号の種類が“１”となる信号波形を示しており、信号の立ち上がりから０．５秒間振幅が継続した場合に信号の種類が“１”であると判断される。図３（ｂ）は、信号の種類が“０”となる信号波形を示しており、信号の立ち上がりから０．８秒間振幅が継続した場合に“０”信号であると判断される。また、図３（ｃ）は、信号の種類が“Ｐ”となる信号波形を示しており、信号の立ち上がりから０．２秒間振幅が継続した場合に“Ｐ”信号であると判断される。
【００２６】
“１”を表す信号に対しては、“ＯＮ”状態となり、その項目に対応付けられた数値は時分等を算出する際の加算の対象となる。図２において、長波標準電波信号のタイムコードフォーマット上に“Ｎ”が記されている項目は、“１”を表す信号が送信されてきた状態を示す。
“１”以外の信号が送信されてきた場合には、“ＯＦＦ”状態となり、その項目に対応付けられた数値は時分等を算出する際の加算の対象外となることを示している。
例えば、分に該当する８秒間に長波標準電波信号が“１、０、１、０、０、１、１、１”と送信されてきた場合には、現在時刻の分が“４０＋１０＋４＋２＋１＝５７”分であることを示している。長波標準電波信号のタイムコードフォーマット上に“Ｐ”が記されている項目については、固定項目であり、長波標準電波信号とタイムコードフォーマットとの同期を取るために用いられる。タイムコードの先頭の“Ｐ”は、正分（毎分０秒）の立ち上がりに対応していて、秒が“００”秒であることを示し、分が次の分に切り替わることを示している。
ちなみに、長波標準電波はセシウム原子時計を基準としているため、この長波標準電波を受信して時刻を修正する電波時計は、誤差が１０万年に１秒という非常に高い精度を得ることができる。
【００２７】
受信回路２２は、図４に示されるように、アンテナ２１によって受信された長波標準電波信号を増幅する増幅回路２３と、増幅された長波標準電波信号から所望の周波数成分のみを抜き出すバンドパスフィルタ２４と、長波標準電波信号を平滑化し復調する復調回路２５と、増幅回路２３のゲインコントロールを行ない長波標準電波信号の受信レベルが一定になるように制御するＡＧＣ（Ａｕｔｏｍａｔｉｃ  Ｇａｉｎ  Ｃｏｎｔｒｏｌ）回路２６と、復調された長波標準電波信号をデコードして出力するデコード回路２７とを備えて構成されている。このような構成により、受信回路によって、受信情報処理工程が行われる。
受信回路２２に入力される受信制御信号は、中央制御部４７から供給され、受信回路２２の動作モードを制御しているが、詳しくは後述する。
【００２８】
図５に、運針部３１と、中央制御部４７と、モータ駆動回路４２とを示す。
運針部３１は、ステッピングモータ３２と、ステッピングモータ３２の動きを伝達する輪列３８と、輪列３８によって運針される秒針３９、分針４０、時針４１とを備えている。
ステッピングモータ３２は、モータ駆動回路４２から供給される駆動パルスによって磁力を発生する駆動コイル３３と、この駆動コイル３３が一端に巻き付けられるコアを有するとともに、駆動コイル３３によって励磁されるステータ３４と、ステータ３４の内部において励磁される磁界により回転するロータ３７とを備えている。
ロータ３７はディスク状の２極の永久磁石である。
ステータ３４には、駆動コイル３３で発生した磁力によって異なった磁極がロータ３７の回りのそれぞれの相（極）に発生するように磁気飽和部３５が設けられている。
ロータ３７の回転方向を規定するために、ステータ３４の内周の適当な位置には内ノッチ３６が設けられており、コギングトルクを発生させてロータ３７が適当な位置に停止するようにしている。
【００２９】
ステッピングモータ３２のロータ３７の回転は、かなを介してロータ３７に噛合された五番車３８ａ、四番車３８ｂ、三番車３８ｃ、二番車３８ｄ、日の裏車３８ｅおよび筒車３８ｆからなる輪列３８によって各針に伝達される。四番車３８ｂの軸には秒針３９が接続され、二番車３８ｄには分針４０が接続され、さらに、筒車３８ｆには時針４１が接続されており、ロータ３７の回転に連動してこれらの各針によって時刻が表示される。輪列３８には、さらに、年月日などの表示を行うための伝達系など（不図示）を接続することももちろん可能である。
【００３０】
図６および図７に、運針部３１およびアンテナ２１の電波時計１内での実際の配置を示す。
これらの図６および図７において、運針部３１や指針、アンテナ２１などの電波時計１の構成部品のほぼ全部は電波時計１のケース７１の略中央に形成された略円筒状の収納部７１１に収納されている。収納部７１１の開口部分両端は、無機ガラス、有機ガラス、その他の透明材料で構成されたカバー７２と、非磁性の金属等で構成された裏蓋７３とでそれぞれ覆われている。また、ケース７１の平面視の両端には皮や金属などで構成されたベルト７１２が取り付けられている。
カバー７２と裏蓋７３との間には、黄銅、アルミニウム等の非磁性の金属やプラスチック、その他の材料で構成された文字板７４が設けられており、この文字板７４はカバー７２外部から視認可能となっている。文字板７４のカバー７２側の面には、周囲に沿って１２時間式の目盛（不図示）が形成され、１２時および６時を結ぶ方向は、ケース７１においてベルト７１２が取り付けられた方向と一致している。また、ケース７１において、文字板７４の３時方向には指針の時刻を手動調整するための竜頭７１３が設けられている。
なお、図６においては、説明のためカバー７２、指針、および文字板７４の図示を省略してある。
【００３１】
文字板７４と裏蓋７３との間において、収納部７１１の平面視で略中央には、輪列３８が配置されている。輪列３８の二番車３８ｄ、四番車３８ｂ、および筒車３８ｆは同軸上に配置され、これらの二番車３８ｄ、四番車３８ｂ、および筒車３８ｆにそれぞれ固定されている秒針３９、分針４０、および時針４１は文字板７４を貫通して文字板７４とカバー７２との間に配置され、これらの指針が文字板７４上の目盛を指し示すことで時刻を表示する。二番車３８ｄ、四番車３８ｂ、および筒車３８ｆの周囲には、これらの歯車の所定のいずれかに噛合する三番車３８ｃおよび日の裏車３８ｅが配置されている。
なお、輪列３８を構成する材料は、全ての部材が金属製であってもよいし、またはそれぞれのかなのみがスチール鋼などの金属製で、かなに固定された歯車がプラスチック製である等、時計の仕様に応じて適宜設定すればよい。
輪列３８を挟んで文字板７４の９時方向には外側ケースが金属板で構成された電池６１が、また反対側の３時方向には中央制御部４７が配置されている。
【００３２】
輪列３８を挟んで文字板７４の１２時方向には、アンテナ２１が、また６時方向にはステッピングモータ３２が配置されている。アンテナ２１は、フェライト棒などの高透磁率材からなるアンテナコアの周囲にアンテナコイルが巻き付けられて構成されたループアンテナである。また、ステッピングモータ３２の駆動コイル３３は、ステータ３４の一部に形成されたステータコアの周囲に導線が巻き付けられて構成されている。これらのアンテナコアおよびステータコアにそれぞれ外部磁界や長波標準電波が通過すると、その周囲のコイル（アンテナコイルや駆動コイル３３）に誘起電流が発生するようになっている。
アンテナ２１およびステッピングモータ３２は、アンテナ２１の軸線２１Ａと、ステッピングモータ３２の駆動コイル３３の軸線３３Ａが文字板７４の３時方向および９時方向を結んだ方向（図６に方向線Ｘで図示）に対して電波時計１の平面視で、それぞれほぼ平行に配置されている。また、これらの軸線２１Ａ，３３Ａは、電波時計１の側面視において同一線上に配置されている。
なお、電池６１は、軸線２１Ａ，３３Ａの延長線上の間に配置され、これら軸線２１Ａ，３３Ａの延長線上には電池６１が配置されていない。なた、これらの軸線２１Ａ，３３Ａの延長線上には、輪列３８も干渉しないように配置されている。
【００３３】
図５に戻って、中央制御部４７は、水晶振動子などの基準発振源４９を高周波発振させる発振回路や分周回路を含んで構成され、基準周波数の基準パルスやパルス幅およびタイミングの異なるパルス信号を発生するパルス合成回路４８と、パルス合成回路４８から供給された種々のパルス信号に基づきステッピングモータ３２を制御する制御回路５０と、制御回路５０からの信号に基づき受信回路２２の動作モードを制御する受信制御手段５５と、受信回路２２からの時刻情報に基づいて時刻修正を行う時刻修正回路５９とを備えている。
【００３４】
制御回路５０は、モータ駆動回路４２を制御する駆動制御回路５１と、回転検出および磁界検出を行う検出回路５２とを備えている。
駆動制御回路５１は、駆動パルス供給部５１ａと、回転検出パルス供給部５１ｂと、磁界検出パルス供給部５１ｃと、補助パルス供給部５１ｄと、消磁パルス供給部５１ｅとを備えて構成されている。
駆動パルス供給部５１ａは、モータ駆動回路４２を介して駆動コイル３３に対し、ロータ３７を駆動するための駆動パルスを供給する。
回転検出パルス供給部５１ｂは、駆動パルスに続いてロータ３７の回転検出用に誘導電圧を誘起する回転検出パルスを出力する。
磁界検出パルス供給部５１ｃは、駆動パルスに先立って、ステッピングモータ３２に対する外部磁界を検出するための誘導電圧を誘起する磁界検出パルスを出力する。
補助パルス供給部５１ｄは、ロータ３７が回転しないか、または、外部磁界が検出された場合に、駆動パルスより実効電力の大きな補助パルスを出力する。この補助パルス供給部５１ｄにより特殊駆動パルス生成手段が構成されている。
消磁パルス供給部５１ｅは、補助パルスに続いて消磁用に補助パルスと極性の異なる消磁パルスを出力する。
【００３５】
検出回路５２は、回転検出パルスによって得られた回転検出用の誘導電圧を設定値と比較して回転の有無を検出する回転判定部５３と、磁界検出パルスによって得られた磁界検出用の誘導電圧を設定値と比較して磁界の有無を判定する磁界判定部５４を備えている。
回転判定部５３は、図８に示すように、２つのコンパレータ５３ａおよび５３ｂとオアゲート５３ｃとを備える。駆動コイル３３に生じた双方向の誘起電圧の値を設定値ＳＶ１と比較してロータ３７が回転したか否かを確認する。判定結果はオアゲート５３ｃを介し、回転判定信号として駆動制御回路５１にフィードバックされる。
【００３６】
磁界判定部５４は、２つのインバータ５４ａおよび５４ｂとオアゲート５４ｃとを備える。外部磁界によって駆動コイル３３に生じた双方向の誘起電圧の値をインバータのしきい値（設定値ＳＶ２）と比較し、磁界の有無を判定する。判定結果はオアゲート５４ｃを介し、磁界判定信号として駆動制御回路５１にフィードバックされるとともに、受信制御手段５５に出力される。つまり、外部磁界が検出された場合は、受信制御手段５５に外部磁界検出信号が出力される。外部磁界が検出されなかった場合は、受信制御手段５５に外部磁界非検出信号が出力される。
この磁界判定部５４によって誘起電圧検出手段が構成されるとともに、磁界判定部５４を含む制御回路５０、ステッピングモータ３２の駆動コイル３３およびモータ駆動回路４２によって外部磁界検出手段が構成されており、外部磁界検出工程が行われる。
【００３７】
モータ駆動回路４２は、ブリッジ回路４３と、回転検出用抵抗４５ａ、４５ｂと、これらの抵抗４５ａおよび４５ｂにチョッパパルスを供給するためのサンプリング用のｐチャンネルＭＯＳ４６ａおよび４６ｂとを備えて構成されている。
ブリッジ回路４３は、直列に接続されたｐチャンネルＭＯＳ４３ａとｎチャンネルＭＯＳ４４ａ、およびｐチャンネルＭＯＳ４３ｂとｎチャンネルＭＯＳ４４ｂによって構成される。
回転検出用抵抗４５ａ、４５ｂは、ｐチャンネルＭＯＳ４３ａおよび４３ｂとそれぞれ並列に接続されている。
これらによって電池６１からステッピングモータ３２に供給される電力が制御される。
これらのＭＯＳ４３ａ、４３ｂ、４４ａ、４４ｂ、４６ａおよび４６ｂの各ゲート電極に駆動制御回路５１の各パルス供給部５１ａ〜５１ｅからそれぞれのタイミングで極性およびパルス幅の異なる制御パルスが印加されることにより、駆動コイル３３に極性の異なる駆動パルスが供給され、あるいは、ロータ３７の回転検出用および磁界検出用の誘起電圧を励起する検出用パルスが供給される。
【００３８】
図９（Ａ）に駆動制御回路５１からモータ駆動回路４２に供給される制御信号のタイミングチャートの例を示す。ここで、ｐチャンネルＭＯＳ４３ａのゲートをＧＰ１、ｎチャンネルＭＯＳ４４ａのゲートをＧＮ１、ｐチャンネルＭＯＳ４６ａのゲートをＧＳ１、ｐチャンネルＭＯＳ４３ｂのゲートをＧＰ２、ｎチャンネルＭＯＳ４４ｂのゲートをＧＮ２、ｐチャンネルＭＯＳ４６ｂのゲートをＧＳ２とする。
ＧＰ１、ＧＮ１およびＧＳ１に供給される信号は、ステッピングモータ３２の駆動コイル３３の一方の極を励磁する。ＧＰ２、ＧＮ２およびＧＳ２に供給される信号は逆方向の極を励磁する。
【００３９】
このステッピングモータ３２は、１秒ごとの運針を行うようになっており、モータ駆動回路４２に１連の制御信号が供給される。
各サイクルの始めには、磁界検出用パルスＳＰ０およびＳＰ１が出力される。
時刻ｔ１に磁界検出用パルスＳＰ０が出力される。
この磁界検出パルスＳＰ０は、２０ｍｓ程度の幅の連続した制御パルスであり電気毛布や電気こたつといった家庭用電気製品のスイッチングなどに伴う高周波ノイズ（５０Ｈｚ〜６０Ｈｚ）によるノイズ磁界を検出するためのものである。
磁界検出パルスＳＰ０を出力するための制御信号が磁界検出パルス供給部５１ｃから駆動側（駆動極側）のゲートＧＰ１に供給され、一方の極だけがＯＮになり、駆動コイル３３が外部磁界のアンテナとして機能する。すると、外部磁界によって駆動コイル３３に誘起電圧が誘起されている場合は、誘起された誘起電圧のレベルを磁界判定部５４のインバータ５４ａ、５４ｂのしきい値と比較することができる。よって、外部磁界が検出される。
【００４０】
時刻ｔ２に磁界検出用パルスＳＰ１が出力される。
この磁界検出用パルスＳＰ１はデューティー比が１／８程度の断続的なチョッパパルスであり、モータを備える電気かみそり、ドライヤーなどの一般家電製品から発生されるモータノイズなどの交流磁界を検出するためのものである。
磁界検出用パルスＳＰ１を出力するための制御信号が磁界検出パルス供給部５１ｃから駆動極側とは反対（逆極）のゲートＧＰ２に供給され、一方の極がＯＮ、ＯＦＦされる。すると、チョッパ増幅によって駆動コイル３３に誘起されている誘起電圧が大幅に増幅され（チョッパ増幅）、これによって交流磁界により駆動コイル３３に誘起される電流が電圧の形でサンプリングされ、検出回路５２の磁界判定部５４で判定される。
【００４１】
時刻ｔ３に駆動パルスＰ１を出力するための制御パルスが駆動制御回路５１の駆動パルス供給部５１ａからゲートＧＮ１およびゲートＧＰ１に供給される。駆動パルスＰ１の実効電力はロータ３７が回転する限界程度までに減少されており、例えば、時刻ｔ３にはパルス幅Ｗ１０の駆動パルスＰ１が供給されるようになっている。駆動パルスＰ１を出力するための制御信号は、駆動パルスのパルス幅を変えて実効電力を制御できるようになっており、ロータ３７が回転せずに補助パルスＰ２が出力されるとパルス幅を広げて実効電力を大きくする。一方、同一のパルス幅で連続して所定の回数だけロータ３７を駆動できるとパルス幅を狭めて実効電力を減少できるようになっている。
【００４２】
時刻ｔ４にロータ３７の回転検出を行う回転検出用のパルスＳＰ２を出力するための制御パルスが駆動制御回路５１の回転検出パルス供給部５１ｂからゲートＧＰ１およびゲートＧＳ１に供給される。この回転検出パルスＳＰ２は、デューティーが１／２程度のチョッパパルスであり、ロータ３７が回転したときに駆動コイル３３に励起される誘導電流を回転検出用抵抗４５ａの出力電圧として得られるようにしている。そして、回転検出用抵抗４５ａの電圧が検出回路５２の回転判定部５３で設定値ＳＶ１と比較され、ロータ３７が回転したか否かが判るようになっている。
【００４３】
回転検出パルスＳＰ２によって励起される誘導電圧が設定値ＳＶ１に達しない場合は、ロータ３７が回転しなかったものと判断され、時刻ｔ６に補助パルスＰ２を出力するための制御信号が駆動制御回路５１の補助パルス供給部５１ｄからゲートＧＮ１およびゲートＧＰ１に供給される。補助パルスＰ２は、ロータ３７が必ず回転する程度のエネルギーをもった駆動パルスＰ１よりも実効電力の大きなパルス幅Ｗ２０の駆動用のパルスである。この補助パルスＰ２は、ロータ３７の回転が検出されない場合の他に、磁界検出用のパルスＳＰ０およびＳＰ１のいずれかによって磁界が検出されたときに駆動パルスＰ１に代わって出力される。
【００４４】
ステッピングモータ３２の周囲に磁界が存在すると、回転検出パルスＳＰ２によってロータ３７が回転していなくともノイズである磁界が検出されて、回転したと誤検出される可能性があり、運針ミスを引き起こす可能性がある。従って、磁界が検出された場合は回転検出の不要な補助パルスＰ２を出力することによって消費電力は増大することになるが運針ミスが発生するのを防止している。
【００４５】
時刻ｔ８に消磁用のパルスＰＥを出力するための制御パルスが駆動制御回路５１の消磁パルス供給部５１ｅからゲートＧＮ２およびゲートＧＰ２に供給される。この消磁パルスＰＥは、実効電力の大きな補助パルスＰ２によって発生した駆動コイル３３の残留磁束を低減するためのものであり、補助パルスＰ２とは逆極となるパルスを供給することによって実現している。消磁パルスＰＥを供給することによりステッピングモータ３２を１ステップアングル回転駆動する一連のサイクルは終了する。
【００４６】
時刻ｔ１から１秒経過した時刻ｔ１１からステッピングモータ３２をさらに１ステップアングル回転するための次のサイクルが開始される。このサイクルでは、前のサイクルと反対側のＭＯＳ４３ｂ、４４ｂおよび４６ｂが駆動極側になる。先のサイクルと同様に、まず、時刻ｔ１１に高周波ノイズによる磁束ノイズを検出するためのパルスＳＰ０が出力され、次に時刻ｔ１２に交流磁界によるノイズを検出するためのパルスＳＰ１が出力される。そして、磁界ノイズが検出されない場合は時刻ｔ１３に駆動パルスＰ１が出力される。前回のサイクルで補助パルスＰ２が出力されているので、駆動パルスＰ１の実効電力が増加されており、先のサイクルの駆動パルスより広いパルス幅Ｗ１１の駆動パルスＰ１が時刻ｔ１３に出力される。さらに、時刻ｔ１４に回転検出用のパルスＳＰ２が出力され、これによってロータ３７の回転が検出されるとこの段階でサイクルが終了する。
【００４７】
図１０に、以上に説明した制御回路５０の動きである駆動制御工程をフローチャートにまとめて示す。まず、ステップＳＴ１で計時用の基準パルスをカウントして１秒を計測する。１秒が経過すると、ステップＳＴ２において磁界検出パルスＳＰ０を用いて高周波磁界を検出する。高周波磁界が検出されるとステップＳＴ７において実効電力の大きな補助パルスＰ２を駆動パルスＰ１に代わって供給し、誤検出による運針ミスを防止する。高周波磁界が検出されない場合は、ステップＳＴ３において、磁界検出パルスＳＰ１を用いて低周波磁界である交流磁界の有無を確認する。交流磁界がある場合は、上記と同様にステップＳＴ７において補助パルスＰ２を出力し、運針ミスを防止する。
【００４８】
これらのステップにおいて磁界が検出されない場合は、ステップＳＴ４において駆動パルスＰ１を出力し、続いて、ステップＳＴ５で回転検出パルスＳＰ２を出力してロータ３７の回転の有無を確認する。回転が確認できない場合はステップＳＴ７において実効電力の大きな補助パルスＰ２を供給してロータ３７を確実に回転させる。補助パルスＰ２が出力されるとステップＳＴ８において消磁パルスＰＥを出力し、さらに、ステップＳＴ１０において補助パルスが出力された後の駆動パルスＰ１のレベル調整（第１のレベル調整）を行う。ステップＳＴ５において回転不良となった場合は同じ実効電力の駆動パルスＰ１を供給しても回転不良を繰り返すことになる。このため、ステップＳＴ１１で補助パルスＰ２が出力された要因を判別し、ステップＳＴ１２で実効電力の１段高い駆動パルスＰ１を出力できるようにセットをしてステップＳＴ１に戻り計時動作を行う。
【００４９】
一方、ステップＳＴ５において、駆動パルスＰ１によるロータ３７の回転が判別できた場合は、ステップＳＴ６において駆動パルスＰ１の実効電力を下げるレベル調整（第２のレベル調整）を行う。多くのケースでは、同じ実効電力の駆動パルスＰ１によって複数回ロータ３７が回転したことを確認して駆動パルスの実効電力を低減するようにしている。このような制御を行うことによって、駆動パルスＰ１の消費電力を低減すると共に、電気製品からの磁界がある場所においても運針ミスをなくせるので、信頼性が高く消費電力の低い計時装置を提供することができる。
【００５０】
受信制御手段５５は、図１１に示されるように、受信動作禁止手段５６と、受信動作再開手段５７と、受信サイクル制御手段５８とを備える。
受信動作禁止手段５６は、磁界判定部５４から外部磁界検出信号が出力されると、受信制御信号として受信回路２２での受信動作を禁止させる受信動作禁止信号を出力する。受信回路２２が受信動作禁止信号を受けると、受信回路２２での受信動作が行われない。
受信動作再開手段５７は、磁界判定部５４から外部磁界非検出信号が出力されると、受信制御信号として受信回路２２での受信動作を再開させる受信動作再開信号を出力する。このような構成により受信制御工程が行われる。受信回路２２が受信動作再開信号を受けると、アンテナ２１で受けた長波標準電波の信号処理を行い、時刻情報が記憶回路２８に送られ、記憶工程によって時刻情報が記憶される。
【００５１】
受信サイクル制御手段５８は、駆動制御回路５１の時刻情報を受けて、受信回路２２の受信動作を開始させる時刻および受信動作を終了する時刻からなるスケジュール情報を記憶しているとともに、外部磁界の検出に応じて、このスケジュール情報を変更する。スケジュール情報としては、例えば、１日に一回午前２時から２時５分まで時刻情報を受信するように設定される。
受信開始時刻に達する前、もしくは受信動作中に外部磁界検出信号が検出されると、受信動作が禁止されるとともに、スケジュール情報に設定された受信終了時刻は無効とされる。外部磁界非検出信号の出力により、受信回路２２が時刻情報の受信を再開し、一連の時刻情報を設定された時間受信すると受信が完了される。
【００５２】
なお、受信動作禁止手段５６と受信動作再開手段５７は、受信サイクル制御手段５８に設定されているスケジュール情報に基づいて、受信開始時刻の直前から受信終了までの間において動作状態になり、それ以外は非動作状態にしてもよい。このようにすると、消費電力を低減することができる。
【００５３】
図９（Ｂ）に、磁界判定部５４から出力される磁界判定信号である外部磁界検出信号および外部磁界非検出信号と、受信制御手段５５から出力される受信制御信号との関係を表すタイミングチャートの一例を示す。図９（Ａ）において、外部磁界を検出するためのパルス（高周波磁界検出パルスＳＰ０、交流磁界検出パルスＳＰ１）によって、外部磁界が検出されると、外部磁界検出信号が出力される。図中で、外部磁界検出信号は“Ｈ”によって示される。外部磁界を検出するためのパルスＳＰ０、ＳＰ１によって外部磁界が検出されない場合は、外部磁界非検出信号が出力される。図中では、外部磁界非検出信号は“Ｌ”で示されている。
受信制御手段５５は、受信サイクル制御手段５８のスケジュール情報に基づいて、受信開始時刻に至った場合において、外部磁界検出信号が出力されると、受信動作禁止信号を発信する。図中、受信動作禁止信号は“Ｌ”で示されている。受信制御手段５５は、外部磁界非検出信号が出力されると、受信動作再開信号を発信する。図中、受信動作再開信号は“Ｈ”で示される。
【００５４】
高周波磁界検出パルスＳＰ０による外部磁界の検出に応答して、受信制御信号ＳＧ１が出力され、交流磁界検出パルスＳＰ１による外部磁界の検出に応答して、受信制御信号ＳＧ２が出力される。これらの受信制御信号ＳＧ１およびＳＧ２をＯＲ回路で結んだ結果である受信制御信号ＳＧ３が最終的な結果として受信制御手段５５から出力される。
つまり、ＳＰ０およびＳＰ１による外部磁界検出によって、いずれか一方でも外部磁界検出信号が発信されると、受信制御手段５５によって受信動作禁止信号が出力され、受信動作が禁止される。
ＳＰ０およびＳＰ１による外部磁界検出によって、いずれも外部磁界非検出信号が出力されると、受信制御手段５５によって受信動作再開信号が出力され、受信回路２２による受信動作が開始される。すると、時刻情報が受信され、この時刻情報に従ってステッピングモータ３２が駆動され、時刻の修正が行われる。
【００５５】
図１２に、受信制御手段５５の動きを含めた時刻修正のフローチャートを示す。
まず、ＳＴ２１において、長波標準電波を受信する受信時刻になったことを判断する。この受信時刻は、受信サイクル制御手段５８に受信開始時刻として設定されているものである。すると、高周波磁界を検出するＳＴ２２と交流磁界を検出するＳＴ２３から構成される外部磁界検出工程によって、外部磁界の検出が行われる。この外部磁界検出工程は１秒間隔で実行される。ＳＴ２２およびＳＴ２３のいずれか一方でも外部磁界を検出すると磁界判定部５４から外部磁界検出信号が出力され、受信制御手段５５から受信回路２２に受信動作禁止信号が出力される。受信回路２２が受信動作禁止信号を受けると、受信回路２２における受信動作が禁止される（ＳＴ２５）。受信動作が禁止されると、ＳＴ２２およびＳＴ２３の磁界検出が繰り返される。
外部磁界検出工程ＳＴ２２、ＳＴ２３のいずれにおいても外部磁界が検出されない場合は、磁界判定部５４から外部磁界非検出信号が出力され、受信制御手段５５によって受信動作再開信号が受信回路２２に出力される。すると、ＳＴ２４において受信動作が再開され、受信回路２２による受信情報処理工程ＳＴ２６が行われ、処理された時刻情報は記憶工程ＳＴ２７において記憶回路２８に記憶される。
なお、ステッピングモータ３が作動によって駆動コイル３３から微弱な磁界が発生することがある。この際、これらＳＴ２２からＳＴ２４までの一連の受信動作においては、駆動コイル３３からの磁界がノイズとなってアンテナ２１で受信され、受信性能に影響を及ぼす可能性がある場合には、ステッピングモータ３の駆動を停止するように構成してもよい。
【００５６】
次に、ＳＴ２８において、一連の時刻情報が記憶されたことが判断される。時刻情報は６０秒で１レコードであり、この１レコードを受信している最中に外部磁界検出信号が出力されると、受信動作禁止手段５６によって受信が禁止される。１レコードを受信していない場合は、外部磁界非検出信号が出力されて時刻情報を受信できるまで、外部磁界の検出と受信が繰り返される。
一連の時刻情報が記憶されると、記憶回路２８から中央制御部４７の時刻修正回路５９に時刻情報が出力され、ＳＴ２９の時刻修正が行われる。これは、針位置検出回路６０によって検出された針位置と、受信された時刻情報を比較して、針位置を受信された時刻情報と一致させるように、針を早送りまたは逆回転させるようにステッピングモータ３２を駆動制御することによって行われる。
【００５７】
以上、このような構成によれば、次のような効果を奏する。
駆動コイル３３に外部磁界が印加されると、駆動コイル３３に誘起電圧が誘起されることにより、この駆動コイル３３が外部磁界検出手段として機能するので、アンテナ２１の周囲に存在する外部磁界を検出することができる。この時、アンテナ２１がループアンテナであるから、駆動コイル３３の軸線３３Ａと、アンテナ２１の軸線２１Ａとが電波時計１の平面視でほぼ平行に配置されていると、アンテナ２１の受信動作に影響する外部磁界の向きと、駆動コイル３３で検出できる外部磁界の向きとを近似させることができる。したがって、アンテナ２１の外部磁界を駆動コイル３３で良好に再現でき、駆動コイル３３がアンテナ２１の外部磁界を正確に検出できる。
また、駆動コイル３３の軸線３３Ａと、アンテナ２１の軸線２１Ａとが電波時計１の側面視において同一線上に配置されているので、これによってもアンテナ２１の受信動作に影響する外部磁界を駆動コイル３３で良好に再現でき、したがって外部磁界を精度よく検出できる。
【００５８】
そして、外部磁界検出手段で外部磁界を検出すると、受信制御手段５５によって受信回路２２での時刻情報の受信が禁止されるので、外部磁界中で時刻情報を誤受信することを防ぐことができる。磁界判定部５４によって外部磁界が検出されなかったときは、受信制御手段５５によって受信回路２２での時刻情報の受信が再開される。すると、外部磁界が存在しない状態で正確に時刻情報を受信し、この正確な時刻情報に基づいて時刻を修正することができる。よって、本実施形態の電波時計によれば、正確に受信した時刻情報にのみ基づいた正確な時刻表示をすることができる。
さらに、外部磁界が検出されたときは、受信回路２２の受信動作が禁止されて受信動作をしないので、電力を無駄に消費することを防ぐことができる。
【００５９】
駆動コイル３３の軸線３３Ａと、アンテナ２１の軸線２１Ａとが文字板７４の３時および９時を結ぶ方向線Ｘに平行に配置されている。例えばベルト７１２が金属製の場合には、ベルト７１２がアンテナ２１の軸線２１Ａに干渉すると、外部無線情報の受信動作を妨害してしまい、良好な受信動作を行えない可能性がある。また、ベルト７１２が駆動コイル３３の軸線３３Ａに干渉すると、駆動コイル３３に作用する外部磁界の一部が妨害され、アンテナ２１周囲の外部磁界を良好に検出できない可能性がある。本実施形態では、これらの軸線２１Ａ，３３Ａの延長線上には、ベルト７１２が配置されていないので、アンテナ２１では良好に外部無線情報を受信でき、駆動コイル３３では良好かつ確実に外部磁界を検出できる。
【００６０】
駆動コイル３３の軸線３３Ａおよびアンテナ２１の軸線２１Ａの延長線上には電池６１が配置されていないので、電池６１によって駆動コイル３３で検出する外部磁界や、アンテナ２１で受信する長波標準電波が遮られるのを防止できる。したがって、駆動コイル３３によって良好にアンテナ２１周囲の外部磁界を検出でき、またアンテナ２１によって良好に長波標準電波を受信できる。
また、駆動コイル３３およびアンテナ２１が、輪列３８を挟んで互いに反対側に配置されているので、ケース７１内のスペース効率を向上させることができ、電波時計１の小型化を促進できる。
【００６１】
本実施形態においては、外部磁界によってステッピングモータ３２の駆動コイル３３に誘起される誘起電圧を駆動制御回路５１から出力されるパルス（ＳＰ０、ＳＰ１）によって検出する。駆動対象であるステッピングモータ自体を利用して外部磁界検出手段を構成するとともに、外部磁界の検出結果は、ステッピングモータの駆動制御と外部無線情報の受信制御に共用される。よって、外部磁界検出のために別途装置を必要としないことと、さらに、ステッピングモータを駆動制御するための外部磁界検出手段と受信制御用の外部磁界検出手段を別個必要としないので、電波時計１を小型化することができるとともに、部品点数を少なくでき、コストを低減することができる。
【００６２】
なお、本発明は前述の実施形態に限定されるものではなく、本発明の目的を達成できる範囲での変形、改良等は本発明に含まれるものである。
例えば、駆動コイル３３の軸線３３Ａとアンテナ２１の軸線２１Ａとは、電波時計１の平面視でほぼ平行に配置されていたが、これに限らず、駆動コイル３３は、アンテナ２１による外部無線情報の受信動作に際して影響を及ぼす方向の外部磁界を良好に検出できる方向に配置されていればよい。
例えば、図１３（Ａ）に示されるように、駆動コイル３３の軸線３３Ａとアンテナ２１の軸線２１Ａとがなす角度Ｃが３０°以内であれば、駆動コイル３３でアンテナ２１周囲の外部磁界を良好に検出できる。
【００６３】
また、アンテナ２１の軸線２１Ａと方向線Ｘとは、ほぼ平行に配置されていたが、これに限らず、図１３（Ａ）および図１３（Ｂ）に示されるように、軸線２１Ａおよび方向線Ｘがなす角度Ａが１５°以内であれば、アンテナ２１の軸線２１Ａが金属ベルトに干渉するというような不具合が生じず、良好に外部無線情報を受信できる。
同様に、駆動コイル３３の軸線３３Ａと方向線Ｘとは、ほぼ平行に配置されていたが、これに限らず軸線３３Ａおよび方向線Ｘがなす角度Ｂが１５°以内であれば、駆動コイル３３の軸線３３Ａが金属ベルトに干渉するというような不具合が生じず、駆動コイル３３で良好に外部磁界を検出できる。
この時、軸線２１Ａおよび軸線３３Ａは、図１３（Ａ）に示されるように方向線Ｘに対して対称な方向に角度を有するものや、図１３（Ｂ）のように方向線Ｘに対してそれぞれ角度Ａ、Ｂを有し、かつ軸線２１Ａ，３３Ａが互いにほぼ平行に配置されているものなど、様々な配置を採用できる。
なお、軸線２１Ａ，３３Ａの配置は、前記実施形態の図６や、前述の図１３（Ａ）および図１３（Ｂ）に示されるものに限定されるものではなく、本発明の趣旨に沿うものであれば、これら以外の配置でもよい。例えば、図６において、軸線２１Ａ，３３Ａは文字板７４の１２時と６時とを結ぶ線、つまりバンド７１２の中央位置を結ぶ方向にほぼ平行に配置されていてもよい。また、図１３（Ａ）および図１３（Ｂ）においても、例えば軸線２１Ａ，３３Ａが図示された向きとは逆に、文字板７４の１２時と６時とを結ぶ線に対して対称の位置に配置されていてもよい。つまり、例えば図１３（Ａ）であれば、アンテナ２１の軸線２１Ａおよび駆動コイル３３の軸線３３Ａが３時方向に傾斜するように配置され、これらと方向線Ｘがなす角度Ａ，Ｂがそれぞれ所定の角度以内となるように配置されていたり、あるいは、軸線２１Ａ，３３Ａがなす角度Ｃが所定角度以内となるように配置されていてもよい。
また、軸線２１Ａと方向線Ｘとがなす角度Ａ、または軸線３３Ａと方向線Ｘとがなす角度Ｂは、１５°以内に限られず、１５°より大きな角度であっても、革ベルトを使用する場合などでは不具合が生じず良好に外部磁界の検出および外部無線情報の受信を行うことができるので、本発明の目的を達成できる。
【００６４】
駆動コイル３３の軸線３３Ａとアンテナ２１の軸線２１Ａとは、電波時計１の側面視で同一線上に配置されていたが、これに限らず例えば図１４（Ａ）に示されるように、側面視でほぼ平行に配置されていれば、本発明の目的を達成できる。この際、軸線３３Ａ，２１Ａは側面視において文字板７４と交差する角度Ｄ、Ｅが１５°以内であれば、電波時計１の厚み方向両側に配置された裏蓋７３やその他の部材が磁性材料であっても、軸線３３Ａ，２１Ａに対する磁性材料の干渉を最小限に抑制でき、駆動コイル３３が良好に外部磁界を検出でき、またアンテナ２１が良好に外部無線情報を受信できる。
なお、軸線３３Ａ，２１Ａが文字板７４となす角度Ｄ、Ｅは、１５°以内に限られず、１５°より大きな角度であっても、電波時計１の主要な構成部品を非磁性材料で構成すれば、駆動コイル３３の外部磁界検出およびアンテナ２１の外部無線情報の受信を良好に行うことができるので、本発明の目的を達成できる。
また、図１４（Ｂ）に示されるように、電波時計１の側面視において、軸線２１Ａおよび軸線３３Ａがなす角度Ｆが３０°以内であれば、駆動コイル３３でアンテナ２１周囲の外部磁界良好に検出できる。
要するに、駆動コイル３３は、電波時計１の側面視において、アンテナ２１による外部無線情報の受信動作に際して影響を及ぼす方向の外部磁界を良好に検出できる方向に配置されていればよい。
また、図１５に示されるように、前記実施形態では軸線２１Ａおよび軸線３３Ａは側面視において同一線上に配置されており、軸線２１Ａと軸線３３Ａとの距離ｍは、０であったが、これに限らず例えば図１６に示されるように、アンテナ２１のコイルの巻数と、駆動コイル３３のコイルの巻数が異なる場合など、電波時計１の側面視において、軸線２１Ａおよび軸線３３Ａとが平行に配置され、かつ距離ｍを有して配置されていてもよい。
【００６５】
外部無線情報受信ユニット２は、駆動コイル３３からの外部磁界検出信号が出力されると受信動作禁止手段５６によって受信回路２２の受信動作を禁止し、また外部磁界非検出信号が出力されると受信動作再開手段５７によって受信動作を再開するように制御されていたが、これに限らず、例えば外部磁界検出信号が出力されている間は、受信回路で外部無線情報を受信しても駆動制御手段がその情報を無効化する処理を行ったり、ステッピングモータを停止させるなどの制御を行ってもよい。要するに、駆動コイルによって検出した（あるいは検出しなかった）外部磁界の検出信号の処理方法や検出信号に応じた電子機器の制御は、電子機器の仕様や用途などを勘案して適宜設定してよい。
【００６６】
本発明は計時装置に限られず、ステッピングモータ３２を備え、外部無線情報を受信する電子機器であればよい。携帯ラジオやオルゴール、携帯電話など種々の電子機器に適用できる。例えば、気圧、ガス濃度、電圧、電流などの物理特性の測定結果が無線情報で送信され、その無線情報を受信する電子機器がステッピングモータにより指針を駆動して測定値をアナログ表示するなどでもよい。
また、外部無線情報は長波標準電波による時刻情報に限られない。例えば、ＦＭやＧＰＳあるいはブルーツースや非接触ＩＣカードでの無線情報でもよく、ニュースや天気予報など外部無線情報の内容も限定されない。ちなみに、電波の種類によって、アンテナ２１や受信回路２２の構成などは適宜変更されるのは言うまでもない。
受信された外部無線情報は、例えば、天気予報であれば、予め設けられた晴れ、曇り、雨といった情報を指針で指し示すように、ステッピングモータ３２による指針駆動によって表示されてもよく、また、ニュースや株価情報などは液晶表示装置などの電子表示装置によって表示されてもよい。
【００６７】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【００６８】
【発明の効果】
このような本発明によれば、駆動コイルとアンテナとがほぼ平行に配置されているので、アンテナの外部磁界による影響を駆動コイルによって良好に再現でき、外部磁界をより一層正確に検出して時刻を正確に修正できるという効果がある。
【図面の簡単な説明】
【図１】本発明の電子機器にかかる本実施形態のブロック図。
【図２】長波標準電波としての時刻情報のタイムコードフォーマットを示す図。
【図３】前記タイムコードフォーマットの信号の種類を示す図。
【図４】前記実施形態における受信回路を示す図。
【図５】前記実施形態における運針部、中央制御部、モータ駆動回路を示す図。
【図６】前記実施形態における駆動コイルおよびアンテナの配置を示す平面図。
【図７】図６の側断面図。
【図８】前記実施形態における検出回路を示す図。
【図９】（Ａ）駆動制御回路から出力される制御信号のタイミングチャートを示す図。（Ｂ）外部磁界検出に対する受信制御信号のタイミングチャートを示す図。
【図１０】前記第一実施形態における制御回路の働きを示すフローチャート。
【図１１】前記第一実施形態における受信制御手段を示す図。
【図１２】前記第実施形態における時刻情報の受信による時刻修正のフローチャートを示す図。
【図１３】本発明の駆動コイルおよびアンテナの平面視における配置を示す図。
【図１４】本発明の駆動コイルおよびアンテナの側面視における配置を示す図。
【図１５】本発明の駆動コイルおよびアンテナの側面視における別の配置を示す図。
【図１６】本発明の駆動コイルおよびアンテナの側面視におけるさらに別の配置を示す図。
【符号の説明】
１…電波時計（時計、電子機器）、２…外部無線情報受信ユニット、３…ステッピングモータユニット、２１…アンテナ、２２…受信回路（受信手段）、３２…ステッピングモータ、３３…駆動コイル、４７…中央制御部（駆動制御手段）、５５…受信制御手段、６１…電源（駆動電源）７４…文字板。
【図１】
2004301736.tif 000003
【図２】
2004301736.tif 000004
【図３】
2004301736.tif 000005
【図４】
2004301736.tif 000006
【図５】
2004301736.tif 000007
【図６】
2004301736.tif 000008
【図７】
2004301736.tif 000009
【図８】
2004301736.tif 000010
【図９】
2004301736.tif 000011
【図１０】
2004301736.tif 000012
【図１１】
2004301736.tif 000013
【図１２】
2004301736.tif 000014
【図１３】
2004301736.tif 000015
【図１４】
2004301736.tif 000016
【図１５】
2004301736.tif 000017
【図１６】
2004301736.tif 000018